(57)【要約】【課題】  ユーザー側に所有権がなく、点検及び交換（回収，設置）をパッケージ貸与に基づいて行うことにより、点検なしの不作動や不法投棄の問題が解消でき、ひいては廃棄消火器のリサイクル化が促進される消防機器（消火器等）のパッケージ貸与による販売システムを得る。【解決手段】  ユーザー７に貸与する消火器のハード部分を提供するハード提供部１と、前記ハード部分の使用に付随して必要なソフト部分を供給するソフト供給部２と、前記ハード部分の点検を行う点検部４と、前記ハード部分の交換（回収，設置）を行う交換部５と、ユーザー７に対してハード提供部１・ソフト供給部２・点検部４・交換部５との仲介的な役割を行う仲介部３と、ハード提供部１・ソフト供給部２・点検部４・交換部５・仲介部３の間で情報を接続するネットワーク６とを備え、ユーザー７の要求に応じて前記ハード部分とソフト部分と点検と交換とをパッケージ化して貸与できるようにしてなる。【選択図】    図１
2006039989.tif 000002
【特許請求の範囲】
【請求項１】
ユーザーに貸与する消防機器（消火器等）のハード部分を提供するハード提供部と、前記ハード部分の使用に付随して必要なソフト部分を供給するソフト供給部と、前記ハード部分の点検を行う点検部と、前記ハード部分の交換（回収，設置）を行う交換部と、ユーザーに対して前記ハード提供部・ソフト供給部・点検部・交換部との仲介的な役割を行う仲介部と、前記ハード提供部・ソフト供給部・点検部・交換部・仲介部の間で情報を接続するネットワークとを備え、ユーザーの要求に応じて前記ハード部分とソフト部分と点検と交換とをパッケージ化して貸与できるようにしたことを特徴とする消防機器（消火器等）のパッケージ貸与による販売システム。
【発明の詳細な説明】
【技術分野】
【０００１】
本発明は、消防機器（消火器等）及びこれに有用なソフト，さらに点検及び交換を併せてユーザーに貸与する消防機器（消火器等）のパッケージ貸与による販売システムに関するものである。
【背景技術】
【０００２】
一般的に、消火器は販売元からユーザーへ売り渡され、ユーザーの所有物としてユーザーに管理される。従って、消火器の点検時期になれば、ユーザーが販売元へ又はそのサービスセンターへ連絡して点検を依頼し、また消火器の耐用年数がきて交換が必要になれば、ユーザーが販売元へ又はそのサービスセンターへ連絡して廃棄（交換）を依頼する。
【発明の開示】
【発明が解決しようとする課題】
【０００３】
解決しようとする問題は、従来消火器がユーザーの所有により管理されているので、点検が正しく行われないことにより必要なときに正常に作動しないし、また交換時期に正しく交換されずに廃棄消火器として不法投棄されるという点である。
【課題を解決するための手段】
【０００４】
本発明は、ユーザーに貸与する消防機器（消火器等）のハード部分を提供するハード提供部と、前記ハード部分の使用に付随して必要なソフト部分を供給するソフト供給部と、前記ハード部分の点検を行う点検部と、前記ハード部分の交換（回収，設置）を行う交換部と、ユーザーに対して前記ハード提供部・ソフト供給部・点検部・交換部との仲介的な役割を行う仲介部と、前記ハード提供部・ソフト供給部・点検部・交換部・仲介部の間で情報を接続するネットワークとを備え、ユーザーの要求に応じて前記ハード部分とソフト部分と点検と交換とをパッケージ化して貸与できるようにしたことを特徴とする。
【発明の効果】
【０００５】
本発明は、ユーザーの注文（要求）に応じたパッケージ貸与とすることにより、ユーザー側に所有権がなく、点検及び交換（回収，設置）がパッケージ貸与に基づいて行われるので、点検なしの不作動や不法投棄の問題が解消でき、ひいては廃棄消火器のリサイクル化が促進されるという効果がある。
【発明を実施するための最良の形態】
【０００６】
ユーザーの注文（要求）に応じたパッケージ貸与とすることにより、実現した。
【実施例】
【０００７】
本発明の一実施例を図１，図２を用いて説明する。図１は消火器のパッケージ貸与による販売システムの構成を示す概略図、図２は図１のパッケージ貸与による販売システムの動作を示すフローチャートである。
図１に示すように本パッケージ貸与による販売システムは、ハード提供部１と、ソフト供給部２と、仲介部３とを備え、さらに点検部４と、交換部５とを併せて備え、これらをネットワーク６によりユーザー７と接続して、ユーザー７の注文（要求）に応じたパッケージ貸与を行う。
【０００８】
ハード提供部１及びソフト供給部２は、消火器やその使用に付随して必要なソフトを提供する各部門で、それぞれが独立した企業であっても良いし、企業内部門（部署）であっても良い。仲介部３は、消火器を販売する部門で、販売店（代理店）であっても良いし、企業内部門（部署）であっても良い。
【０００９】
この仲介部３は、ユーザー７とハード提供部１及びソフト供給部２とを管理してその仲介を行うもので、ユーザー７毎にハード提供部１の内容とソフト供給部２の内容の組合せを提案したり、その点検，交換などのユーザー７の要求をもコンピュータにより具体化してゆく。
【００１０】
点検部４は、仲介部３の行ったパッケージ貸与に基づいて、ユーザー７の消火器の点検を行う。
交換部５は、仲介部３の行ったパッケージ貸与に基づいて、ユーザー７に出向き、廃棄品の消火器を回収すると共に新品の消火器を設置する。この回収消火器は、リサイクル処理を行うべく手配をする。
【００１１】
ネットワーク６に、インターネットを利用して、ハード提供部１，ソフト供給部２，仲介部３，さらに点検部４，交換部５と、ユーザー７との間で情報を接続する。
【００１２】
次に、本パッケージ貸与による販売システムの動作（流れ）を図２を用いて説明する。
（１）ユーザー７からネットワーク６に注文が発信される。（ステップＳ１）
（２）仲介部３は、ネットワーク６を通じてユーザー７の注文を受信してユーザー７を特定すると共にその注文（要求）の内容をパッケージ化する。（ステップＳ２）
構築するパッケージの内容としては、例えばハードとソフトを選ぶことと、このハードを設置する納品時期、ハードの点検を実施する点検時期、ハードの交換を行う交換時期を設定することなどがある。
（３）仲介部３が、ユーザー７とパッケージ貸与の契約を結ぶ。（ステップＳ３）
（４）仲介部３が、貸与契約をしたパッケージの内容を、ネットワーク６に流す。（ステップＳ４）
【００１３】
（５）ハード提供部１及びソフト供給部２は、ネットワーク６を通じて、貸与契約者のユーザー７を特定すると共にその消火器の納品時期を得ると、パッケージの内容にしたがって、ソフト付き消火器をその特定ユーザー７に設置する。その報告をネットワーク６に流す。（ステップＳ５）
【００１４】
（６）点検部４は、ネットワーク６を通じて、貸与契約者のユーザー７を特定すると共にその消火器の点検時期を得ると、パッケージの内容にしたがって、その特定ユーザー７に出向き、消火器の点検を行う。その報告をネットワーク６に流す。（ステップＳ６）
【００１５】
（７）交換部５は、ネットワーク６を通じて、貸与契約者のユーザー７を特定すると共にその消火器の交換時期を得ると、パッケージの内容にしたがって、その特定ユーザー７に出向き、消火器の交換（廃棄品の回収、新品の設置）を行う。その報告をネットワーク６に流す。（ステップＳ７）
この回収消火器は、リサイクル処理を行う。
【００１６】
以上のようにユーザー７の注文（要求）に応じたパッケージ貸与とすることにより、ユーザー７側に所有権がなくなり、点検及び交換（回収，設置）がパッケージ貸与に基づいて行われるので、点検なしの不作動や不法投棄の問題が解消でき、ひいては廃棄消火器のリサイクル化が促進される。
【００１７】
なお、上記実施例では消火器について説明したが、消火器以外の広く消防機器についても同様にして同様の効果が得られることは勿論である。
【産業上の利用可能性】
【００１８】
本発明は、消火器の他消防機器に広く活用できる。
【図面の簡単な説明】
【００１９】
【図１】本発明の一実施例を示すもので、消火器のパッケージ貸与による販売システムの構成を示す概略図である。
【図２】図１のパッケージ貸与による販売システムの動作を示すフローチャートである。
【符号の説明】
【００２０】
１：ハード提供部
２：ソフト供給部
３：仲介部
４：点検部
５：交換部
６：ネットワーク
７：ユーザー
【図１】
2006039989.tif 000003
【図２】
2006039989.tif 000004